(57)【特許請求の範囲】
【請求項１】
現金の入金・支払機と操作部を有する現金処理装置において、
前記操作部は、
操作者情報及び前記入金・支払機の制御情報を入力する入力手段と、
あらかじめ操作者の操作者番号及び暗証番号並びに登録日付を登録した操作者暗証テーブルと前記暗証番号の有効期間を記憶する記憶部と、
前記操作部と前記入金・支払機を制御するとともに計時手段を有する制御部と、
前記入力手段により前記操作者番号を入力したときに、前記記憶部の前記操作者暗証テーブルに登録された前記登録日付と前記制御部の計時手段によるシステム日付を比較し、前記登録日付が前記暗証番号の前記有効期間以内か否かを判断する判断部と、
前記入力手段の入力情報及び操作ガイダンスを表示する表示部と、
を備え、
前記判断部は、
前記操作者暗証テーブルに登録され、前記入力された前記操作者番号に対応する前記暗証番号の前記登録日付と、前記計時手段によるシステム日付とを比較し、該比較結果を前記制御部に出力し、
前記制御部は、
前記判断部の前記出力が前記暗証番号の有効期間以内のときに、前記暗証番号の入力指示を前記表示部に表示させ、前記入力手段から入力された前記暗証番号が、登録されている前記暗証番号と一致していれば前記操作者の確認処理を終了させ、
前記判断部の前記出力が前記有効期間を越えたときに、前記暗証番号の変更指示を前記表示部に表示させ、変更後の暗証番号が入力されると、前記変更後の暗証番号及び登録日付の更新をし、前記操作者の確認処理を終了させる
ことを特徴とする現金処理装置。
【請求項２】
現金の入金・支払機と操作部を有する現金処理装置において、
前記操作部は、
操作者情報及び前記入金・支払機の制御情報を入力する入力手段と、
あらかじめ操作者の操作者番号及び暗証番号、登録日付並びに前記操作者の前記暗証番号毎の有効期間を登録した操作者暗証テーブルを記憶する記憶部と、
前記操作部と前記入金・支払機を制御するとともに計時手段を有する制御部と、
前記入力手段により前記操作者番号を入力したときに、前記記憶部の前記操作者暗証テーブルに登録された前記登録日付と前記制御部の計時手段によるシステム日付を比較し、前記登録日付が前記暗証番号の前記有効期間以内か否かを判断する判断部と、
前記入力手段の入力情報及び操作ガイダンスを表示する表示部と、
を備え、
前記判断部は、
前記操作者暗証テーブルに登録され、前記入力された前記操作者番号に対応する前記暗証番号の前記登録日付と、前記計時手段によるシステム日付とを比較し、該比較結果を前記制御部に出力し、
前記制御部は、
前記判断部の前記出力が前記暗証番号の有効期間以内のときに、前記暗証番号の入力指示を前記表示部に表示させ、前記入力手段から入力された前記暗証番号が、登録されている前記暗証番号と一致していれば前記操作者の確認処理を終了させ、
前記判断部の前記出力が前記有効期間を越えたときに、前記暗証番号の変更指示を前記表示部に表示させ、変更後の暗証番号が入力されると、前記変更後の暗証番号及び登録日付の更新をし、前記操作者の確認処理を終了させる
ことを特徴とする現金処理装置。
【請求項３】
現金の入金・支払機と操作部を有する現金処理装置において、
前記操作部は、
操作者情報及び前記入金・支払機の制御情報を入力する入力手段と、
あらかじめ操作者の操作者番号及び暗証番号並びに登録日付を登録した操作者暗証テーブルと前記暗証番号の有効入力回数を記憶する記憶部と、
前記操作部と前記入金・支払機を制御するとともに、前記暗証番号の入力回数を計数する計数手段を有する制御部と、
前記入力手段により前記操作者番号を入力したときに、前記制御部の前記計数手段により計数された前記暗証番号の入力回数が、前記記憶部に記憶された前記暗証番号の有効入力回数以内か否かを判断する判断部と、
前記入力手段の入力情報及び操作ガイダンスを表示する表示部と、
を備え、
前記判断部は、
前記計数手段に計数され、前記入力された前記操作者番号に対応する前記暗証番号の前記入力回数と、前記記憶部に記憶された前記暗証番号の前記有効入力回数とを比較し、該比較結果を前記制御部に出力し、
前記制御部は、
前記判断部の前記出力が前記有効入力回数以内のときに、前記暗証番号の入力指示を前記表示部に表示させ、前記入力手段から入力された前記暗証番号が、登録されている前記暗証番号と一致していれば前記操作者の確認処理を終了させ、
前記判断部の前記出力が前記有効入力回数を越えたときに、前記暗証番号の変更指示を前記表示部に表示させ、変更後の暗証番号が入力されると、前記変更後の暗証番号及び登録日付の更新をし、前記操作者の確認処理を終了させる
ことを特徴とする現金処理装置。
【請求項４】
現金の入金・支払機と操作部を有する現金処理装置において、
前記操作部は、
操作者情報及び前記入金・支払機の制御情報を入力する入力手段と、
あらかじめ操作者の操作者番号及び暗証番号、登録日付並びに前記操作者の前記暗証番号毎の有効入力回数を登録した操作者暗証テーブルを記憶する記憶部と、
前記操作部と前記入金・支払機を制御するとともに、前記暗証番号の入力回数を計数する計数手段を有する制御部と、
前記入力手段により前記操作者番号を入力したときに、前記制御部の前記計数手段により計数された前記暗証番号の入力回数が、前記記憶部に記憶された前記暗証番号の有効入力回数以内か否かを判断する判断部と、
前記入力手段の入力情報及び操作ガイダンスを表示する表示部と、
を備え、
前記判断部は、
前記計数手段に計数され、前記入力された前記操作者番号に対応する前記暗証番号の前記入力回数と、前記記憶部に記憶された前記暗証番号の前記有効入力回数とを比較し、該比較結果を前記制御部に出力し、
前記制御部は、
前記判断部の前記出力が前記有効入力回数以内のときに、前記暗証番号の入力指示を前記表示部に表示させ、前記入力手段から入力された前記暗証番号が、登録されている前記暗証番号と一致していれば前記操作者の確認処理を終了させ、
前記判断部の前記出力が前記有効入力回数を越えたときに、前記暗証番号の変更指示を前記表示部に表示させ、変更後の暗証番号が入力されると、前記変更後の暗証番号及び登録日付の更新をし、前記操作者の確認処理を終了させる
ことを特徴とする現金処理装置。
【請求項５】
制御部は、有効期間を越えたときに、入力された暗証番号が、登録されている暗証番号と異なるときに、前記暗証番号及び登録日付の更新をすることを特徴とする請求項１〜４のいずれかに記載の現金処理装置。
【請求項６】
現金処理装置の制御方法において、
あらかじめ操作者の操作者番号及び暗証番号並びに登録日付を操作者暗証テーブルに記憶させるとともに、前記暗証番号の有効期間を記憶させるステップと、
操作者の操作番号を入力する第１ステップと、
入力された前記操作者番号があらかじめ記憶されている前記操作者番号と一致するかどうかチェックする第２ステップと、
記憶された前記暗証番号の前記登録日付とシステム日付を比較し、前記暗証番号が前記有効期間以内か否かを判断する第３ステップと、
前記登録日付が前記有効期間以内のときに、前記暗証番号を入力し、入力された前記暗証番号が登録されている前記暗証番号と一致していれば、前記操作者の確認処理を終了させる第４ステップと、
前記登録日付が前記有効期間を越えたときに、変更後の暗証番号を入力すると、登録日付の更新をし、前記操作者の確認処理を終了させる第５ステップとを備え、
前記制御は、
前記第１ステップ、前記第２ステップ、及び、前記第３ステップの順番に移行し、前記第３ステップにおける前記判断結果に基づいて、前記第３ステップから前記第４ステップ、又は、前記第５ステップに移行する
ことを特徴とする現金処理装置の制御方法。
【請求項７】
現金処理装置の制御方法において、
あらかじめ操作者の操作者番号及び暗証番号、登録日付並びに前記操作者の前記暗証番号毎の有効期間を操作者暗証テーブルに記憶させるステップと、
操作者の操作番号を入力する第１ステップと、
入力された前記操作者番号があらかじめ記憶されている前記操作者番号と一致するかどうかチェックする第２ステップと、
記憶された前記暗証番号の前記登録日付とシステム日付を比較し、前記暗証番号が前記有効期間以内か否かを判断する第３ステップと、
前記登録日付が前記有効期間以内のときに、前記暗証番号を入力し、入力された前記暗証番号が登録されている前記暗証番号と一致していれば、前記操作者の確認処理を終了させる第４ステップと、
前記登録日付が前記有効期間を越えたときに、変更後の暗証番号を入力すると、登録日付の更新をし、前記操作者の確認処理を終了させる第５ステップとを備え、
前記制御は、
前記第１ステップ、前記第２ステップ、及び、前記第３ステップの順番に移行し、前記第３ステップにおける前記判断結果に基づいて、前記第３ステップから前記第４ステップ、又は、前記第５ステップに移行する
ことを特徴とする現金処理装置の制御方法。
【請求項８】
現金処理装置の制御方法において、
あらかじめ操作者の操作者番号及び暗証番号並びに登録日付を操作者暗証テーブルに記憶させるとともに、前記暗証番号の有効入力回数を記憶させるステップと、
操作者の操作番号を入力する第１ステップと、
入力された前記操作者番号があらかじめ記憶されている前記操作者番号と一致するかどうかチェックする第２ステップと、
前記暗証番号の入力回数が前記暗証番号の前記有効入力回数以内か否かを判断する第３ステップと、
前記入力回数が前記有効入力回数以内のときに、前記暗証番号を入力し、入力された前記暗証番号が登録されている前記暗証番号と一致していれば、前記操作者の確認処理を終了させる第４ステップと、
前記入力回数が前記有効入力回数を越えたときに、変更後の暗証番号を入力すると、登録日付の更新をし、前記操作者の確認処理を終了させる第５ステップとを備え、
前記制御は、
前記第１ステップ、前記第２ステップ、及び、前記第３ステップの順番に移行し、前記第３ステップにおける前記判断結果に基づいて、前記第３ステップから前記第４ステップ、又は、前記第５ステップに移行する
ことを特徴とする現金処理装置の制御方法。
【請求項９】
現金処理装置の制御方法において、
あらかじめ操作者の操作者番号及び暗証番号、登録日付並びに前記操作者の前記暗証番号毎の有効入力回数を操作者暗証テーブルに記憶させるステップと、
操作者の操作番号を入力する第１ステップと、
入力された前記操作者番号があらかじめ記憶されている前記操作者番号と一致するかどうかチェックする第２ステップと、
前記暗証番号の入力回数が前記暗証番号の前記有効入力回数以内か否かを判断する第３ステップと、
前記入力回数が前記有効入力回数以内のときに、前記暗証番号を入力し、入力された前記暗証番号が登録されている前記暗証番号と一致していれば、前記操作者の確認処理を終了させる第４ステップと、
前記入力回数が前記有効入力回数を越えたときに、変更後の暗証番号を入力すると、登録日付の更新をし、前記操作者の確認処理を終了させる第５ステップとを備え、
前記制御は、
前記第１ステップ、前記第２ステップ、及び、前記第３ステップの順番に移行し、前記第３ステップにおける前記判断結果に基づいて、前記第３ステップから前記第４ステップ、又は、前記第５ステップに移行する
ことを特徴とする現金処理装置の制御方法。
【請求項１０】
有効期間を越えたときに、入力された暗証番号が、登録されている暗証番号と異なるときに、前記暗証番号及び登録日付の更新をすることを特徴とする請求項６〜９のいずれかに記載の現金処理装置の制御方法。
【発明の詳細な説明】
【０００１】
【発明の属する技術分野】
この発明は、現金処理装置とその制御方法に係わり、特にセキュリティの強化を図った現金処理装置とその制御方法に関する。
【０００２】
【従来の技術】
一般に従来の現金処理装置では、操作者の入力確認を行う際、操作者番号の入力、及び、暗証番号の入力をして確認していた。
【０００３】
【発明が解決しようとする課題】
しかしながら、上述の従来の現金処理装置では、操作者毎の暗証番号の入力が毎回同じ値となってしまい、セキュリティ上問題があった。
【０００４】
この発明は上記のような問題点を解消するためになされたもので、セキュリティの強化を図った現金処理装置とその制御方法を提供することを目的とする。
【０００５】
【課題を解決するための手段】
この発明に係る現金処理装置は、現金の入金・支払機と操作部を有する現金処理装置において、前記操作部は、操作者情報及び前記入金・支払機の制御情報を入力する入力手段と、あらかじめ操作者の操作者番号及び暗証番号並びに登録日付を登録した操作者暗証テーブルと前記暗証番号の有効期間を記憶する記憶部と、前記操作部と前記入金・支払機を制御するとともに計時手段を有する制御部と、前記入力手段により前記操作者番号を入力したときに、前記記憶部の前記操作者暗証テーブルに登録された前記登録日付と前記制御部の計時手段によるシステム日付を比較し、前記登録日付が前記暗証番号の前記有効期間以内か否かを判断する判断部と、前記入力手段の入力情報及び操作ガイダンスを表示する表示部と、を備え、前記判断部は、前記操作者暗証テーブルに登録され、前記入力された前記操作者番号に対応する前記暗証番号の前記登録日付と、前記計時手段によるシステム日付とを比較し、該比較結果を前記制御部に出力し、前記制御部は、前記判断部の前記出力が前記暗証番号の有効期間以内のときに、前記暗証番号の入力指示を前記表示部に表示させ、前記入力手段から入力された前記暗証番号が、登録されている前記暗証番号と一致していれば前記操作者の確認処理を終了させ、前記判断部の前記出力が前記有効期間を越えたときに、前記暗証番号の変更指示を前記表示部に表示させ、変更後の暗証番号が入力されると、前記変更後の暗証番号及び登録日付の更新をし、前記操作者の確認処理を終了させるものである。
【０００６】
また、現金の入金・支払機と操作部を有する現金処理装置において、前記操作部は、操作者情報及び前記入金・支払機の制御情報を入力する入力手段と、あらかじめ操作者の操作者番号及び暗証番号、登録日付並びに前記操作者の前記暗証番号毎の有効期間を登録した操作者暗証テーブルを記憶する記憶部と、前記操作部と前記入金・支払機を制御するとともに計時手段を有する制御部と、前記入力手段により前記操作者番号を入力したときに、前記記憶部の前記操作者暗証テーブルに登録された前記登録日付と前記制御部の計時手段によるシステム日付を比較し、前記登録日付が前記暗証番号の前記有効期間以内か否かを判断する判断部と、前記入力手段の入力情報及び操作ガイダンスを表示する表示部と、を備え、前記判断部は、前記操作者暗証テーブルに登録され、前記入力された前記操作者番号に対応する前記暗証番号の前記登録日付と、前記計時手段によるシステム日付とを比較し、該比較結果を前記制御部に出力し、前記制御部は、前記判断部の前記出力が前記暗証番号の有効期間以内のときに、前記暗証番号の入力指示を前記表示部に表示させ、前記入力手段から入力された前記暗証番号が、登録されている前記暗証番号と一致していれば前記操作者の確認処理を終了させ、前記判断部の前記出力が前記有効期間を越えたときに、前記暗証番号の変更指示を前記表示部に表示させ、変更後の暗証番号が入力されると、前記変更後の暗証番号及び登録日付の更新をし、前記操作者の確認処理を終了させるものである。
【０００７】
また、現金の入金・支払機と操作部を有する現金処理装置において、前記操作部は、操作者情報及び前記入金・支払機の制御情報を入力する入力手段と、あらかじめ操作者の操作者番号及び暗証番号並びに登録日付を登録した操作者暗証テーブルと前記暗証番号の有効入力回数を記憶する記憶部と、前記操作部と前記入金・支払機を制御するとともに、前記暗証番号の入力回数を計数する計数手段を有する制御部と、前記入力手段により前記操作者番号を入力したときに、前記制御部の前記計数手段により計数された前記暗証番号の入力回数が、前記記憶部に記憶された前記暗証番号の有効入力回数以内か否かを判断する判断部と、前記入力手段の入力情報及び操作ガイダンスを表示する表示部と、を備え、前記判断部は、前記計数手段に計数され、前記入力された前記操作者番号に対応する前記暗証番号の前記入力回数と、前記記憶部に記憶された前記暗証番号の前記有効入力回数とを比較し、該比較結果を前記制御部に出力し、前記制御部は、前記判断部の前記出力が前記有効入力回数以内のときに、前記暗証番号の入力指示を前記表示部に表示させ、前記入力手段から入力された前記暗証番号が、登録されている前記暗証番号と一致していれば前記操作者の確認処理を終了させ、前記判断部の前記出力が前記有効入力回数を越えたときに、前記暗証番号の変更指示を前記表示部に表示させ、変更後の暗証番号が入力されると、前記変更後の暗証番号及び登録日付の更新をし、前記操作者の確認処理を終了させるものである。
【０００８】
また、現金の入金・支払機と操作部を有する現金処理装置において、前記操作部は、操作者情報及び前記入金・支払機の制御情報を入力する入力手段と、あらかじめ操作者の操作者番号及び暗証番号、登録日付並びに前記操作者の前記暗証番号毎の有効入力回数を登録した操作者暗証テーブルを記憶する記憶部と、前記操作部と前記入金・支払機を制御するとともに、前記暗証番号の入力回数を計数する計数手段を有する制御部と、前記入力手段により前記操作者番号を入力したときに、前記制御部の前記計数手段により計数された前記暗証番号の入力回数が、前記記憶部に記憶された前記暗証番号の有効入力回数以内か否かを判断する判断部と、前記入力手段の入力情報及び操作ガイダンスを表示する表示部と、を備え、前記判断部は、前記計数手段に計数され、前記入力された前記操作者番号に対応する前記暗証番号の前記入力回数と、前記記憶部に記憶された前記暗証番号の前記有効入力回数とを比較し、該比較結果を前記制御部に出力し、前記制御部は、前記判断部の前記出力が前記有効入力回数以内のときに、前記暗証番号の入力指示を前記表示部に表示させ、前記入力手段から入力された前記暗証番号が、登録されている前記暗証番号と一致していれば前記操作者の確認処理を終了させ、前記判断部の前記出力が前記有効入力回数を越えたときに、前記暗証番号の変更指示を前記表示部に表示させ、変更後の暗証番号が入力されると、前記変更後の暗証番号及び登録日付の更新をし、前記操作者の確認処理を終了させるものである。
【０００９】
また、制御部は、有効期間を越えたときに、入力された暗証番号が、登録されている暗証番号と異なるときに、前記暗証番号及び登録日付の更新をするものである。
【００１０】
この発明に係る現金処理装置の制御方法は、現金処理装置の制御方法において、あらかじめ操作者の操作者番号及び暗証番号並びに登録日付を操作者暗証テーブルに記憶させるとともに、前記暗証番号の有効期間を記憶させるステップと、操作者の操作番号を入力する第１ステップと、入力された前記操作者番号があらかじめ記憶されている前記操作者番号と一致するかどうかチェックする第２ステップと、記憶された前記暗証番号の前記登録日付とシステム日付を比較し、前記暗証番号が前記有効期間以内か否かを判断する第３ステップと、前記登録日付が前記有効期間以内のときに、前記暗証番号を入力し、入力された前記暗証番号が登録されている前記暗証番号と一致していれば、前記操作者の確認処理を終了させる第４ステップと、前記登録日付が前記有効期間を越えたときに、変更後の暗証番号を入力すると、登録日付の更新をし、前記操作者の確認処理を終了させる第５ステップとを備え、前記制御は、前記第１ステップ、前記第２ステップ、及び、前記第３ステップの順番に移行し、前記第３ステップにおける前記判断結果に基づいて、前記第３ステップから前記第４ステップ、又は、前記第５ステップに移行するものである。
【００１１】
また、現金処理装置の制御方法において、あらかじめ操作者の操作者番号及び暗証番号、登録日付並びに前記操作者の前記暗証番号毎の有効期間を操作者暗証テーブルに記憶させるステップと、操作者の操作番号を入力する第１ステップと、入力された前記操作者番号があらかじめ記憶されている前記操作者番号と一致するかどうかチェックする第２ステップと、記憶された前記暗証番号の前記登録日付とシステム日付を比較し、前記暗証番号が前記有効期間以内か否かを判断する第３ステップと、前記登録日付が前記有効期間以内のときに、前記暗証番号を入力し、入力された前記暗証番号が登録されている前記暗証番号と一致していれば、前記操作者の確認処理を終了させる第４ステップと、前記登録日付が前記有効期間を越えたときに、変更後の暗証番号を入力すると、登録日付の更新をし、前記操作者の確認処理を終了させる第５ステップとを備え、前記制御は、前記第１ステップ、前記第２ステップ、及び、前記第３ステップの順番に移行し、前記第３ステップにおける前記判断結果に基づいて、前記第３ステップから前記第４ステップ、又は、前記第５ステップに移行する。
【００１２】
また、現金処理装置の制御方法において、あらかじめ操作者の操作者番号及び暗証番号並びに登録日付を操作者暗証テーブルに記憶させるとともに、前記暗証番号の有効入力回数を記憶させるステップと、操作者の操作番号を入力する第１ステップと、入力された前記操作者番号があらかじめ記憶されている前記操作者番号と一致するかどうかチェックする第２ステップと、前記暗証番号の入力回数が前記暗証番号の前記有効入力回数以内か否かを判断する第３ステップと、前記入力回数が前記有効入力回数以内のときに、前記暗証番号を入力し、入力された前記暗証番号が登録されている前記暗証番号と一致していれば、前記操作者の確認処理を終了させる第４ステップと、前記入力回数が前記有効入力回数を越えたときに、変更後の暗証番号を入力すると、登録日付の更新をし、前記操作者の確認処理を終了させる第５ステップとを備え、前記制御は、前記第１ステップ、前記第２ステップ、及び、前記第３ステップの順番に移行し、前記第３ステップにおける前記判断結果に基づいて、前記第３ステップから前記第４ステップ、又は、前記第５ステップに移行する。
【００１３】
また、現金処理装置の制御方法において、あらかじめ操作者の操作者番号及び暗証番号、登録日付並びに前記操作者の前記暗証番号毎の有効入力回数を操作者暗証テーブルに記憶させるステップと、操作者の操作番号を入力する第１ステップと、入力された前記操作者番号があらかじめ記憶されている前記操作者番号と一致するかどうかチェックする第２ステップと、前記暗証番号の入力回数が前記暗証番号の前記有効入力回数以内か否かを判断する第３ステップと、前記入力回数が前記有効入力回数以内のときに、前記暗証番号を入力し、入力された前記暗証番号が登録されている前記暗証番号と一致していれば、前記操作者の確認処理を終了させる第４ステップと、前記入力回数が前記有効入力回数を越えたときに、変更後の暗証番号を入力すると、登録日付の更新をし、前記操作者の確認処理を終了させる第５ステップとを備え、前記制御は、前記第１ステップ、前記第２ステップ、及び、前記第３ステップの順番に移行し、前記第３ステップにおける前記判断結果に基づいて、前記第３ステップから前記第４ステップ、又は、前記第５ステップに移行する。
【００１４】
また、有効期間を越えたときに、入力された暗証番号が、登録されている暗証番号と異なるときに、前記暗証番号及び登録日付の更新をするものである。
【００１５】
【発明の実施の形態】
実施の形態１．
図１はこの発明の実施の形態１を示す現金処理装置のユニット構成を示す構成図、図２は、図１の操作部の構成図、図３は操作者暗証テーブル、図４は暗証番号の有効期間データを示す図、図５は動作を示すフローチャートである。
【００１６】
図１において、１は現金処理装置全体を制御する操作部（テラー）、２は硬貨入金機、３は金種判別ができる硬貨支払機、４は紙幣入金機、５は金種判別ができる紙幣支払機、６は金種判別ができる小束支払機、７は金種判別ができる棒金支払機である。なお、点線で囲んだものはリサイクルユニットの代用が可能であり、硬貨入金機２と硬貨支払機３は、リサイクルユニットの硬貨入金・支払機８に代用可能であり、紙幣入金機４と紙幣支払機５は、リサイクルユニットの紙幣入金・支払機９に代用可能である。
【００１７】
図２において操作部１は、硬貨入金機２、硬貨支払機３、紙幣入金機４、紙幣支払機５、小束支払機６及び棒金支払機７を制御し、計時手段（図示せず）を有する制御御部１０と、データを記憶しておく記憶部１１と、操作者の確認処理の判断を行う判断部１２と、現金情報及び操作ガイダンス等を表示する表示部１３と、処理内容等を印字する印字部１４と、入力手段である現金処理情報等を入力するキー入力部１５及び操作者固有のＩＤカードから操作者固有の識別情報を読み取るカードリーダ部１６から構成される。
【００１８】
図３において、操作者暗証テーブルは操作者番号、操作者毎の登録暗証番号及び登録日付からなり、図４の暗証番号の有効期間データと別に記憶部１１に記憶され、年単位、月単位、日単位…で設定可能である。
【００１９】
次に、図５に示すフローチャートにより動作を説明する。
まず、現金処理装置を起動し操作を開始するとき、メニューの選択時、及び、障害発生時などで、操作、処理を行う操作者の入力が必須となる。このとき、操作者は、カードリーダ部１６より操作者固有のＩＤカードを読み込ませ、操作者の番号を入力する。また、ＩＤカード使用しないシステムの場合、キー入力部１５から数直キーの入力により操作者番号を入力する（ステップＳ１）。この入力された操作者番号と記憶部１１に記憶された操作者暗証テーブル（図３）の操作者番号とその登録日付が表示部１３に表示され、入力した操作者番号とその登録日付を確認する（ステップＳ２）。
【００２０】
次に、操作部１の制御部１０の計時手段からシステム日付が判断部１２に入力される（ステップＳ３）。そして、判断部１２は、ステップＳ２で確認された入力操作者の登録日付とステップＳ３で入力されたシステム日付の比較を行う。  この比較結果、暗証番号が、記憶部１１に記憶された暗証番号の有効期間データ（図４）を越えているかを判断する（ステップＳ４）。登録日付が有効期間を越えていたら、制御部１０は表示部１３に「暗証番号の有効期限が過ぎています。暗証番号の変更を行ってください。」等のメッセージを表示させ（ステップＳ５）、操作者は暗証番号の入力を行う（ステップＳ６）。
【００２１】
暗証番号が入力されると、図３に示す操作者暗証テーブルの入力した操作者番号の登録暗証番号エリアに  ステップＳ６で入力した暗証番号が登録されるとともに、登録日付エリアに、現時点のシステム日付が登録されデータの更新が行われる（ステップＳ７）。
また、登録日付が有効期間内であれば、操作者は暗証番号の入力を行い（ステップＳ８）、操作者暗証テーブルの登録暗証番号と一致してなければ、制御部１０は一致してないことを表示部１３に表示させる。操作者は、暗証番号の入力（Ｓ８）を繰り返す。そして、暗証番号が一致していれば、操作者の入力確認処理を終了する。
【００２２】
以上のように、操作者の入力確認を必要とする処理が発生した場合、操作者毎に登録している暗証番号を有効期間で変更することが可能となり、セキュリティの強化を図ることができる。
【００２３】
実施の形態２．
実施の形態１では暗証番号の有効範囲を有効期間としたが、本実施の形態は、暗証番号の有効範囲を有効回数にしたものである。現金処理装置のユニット構成、操作者暗証テーブルは実施の形態１と同じであり、説明を省略する。
図２の操作部１の構成においては、制御部１０が暗証番号の入力回数を計数する計数手段（図示せず）を備えている。
図６は暗証番号の有効回数データを示す図、図７は動作を示すフローチャートである。図６に示した暗証番号の有効回数データは、実施の形態１と同様に、操作者暗証テーブルと別に記憶部１１に記憶されている。
【００２４】
次に、動作につき図７により説明する。図７において実線で囲まれている部分のステップＳ１０、１１〜１３が実施の形態１の図５と異なるので、この動作を主に説明する。
ステップＳ２で、操作者番号とその登録日付が確認されてから、判断部１２は、暗証入力回数（Ｎ）が図６に示す有効回数データを越えているかどうか判定する（Ｓ１０）。そして、暗証入力数（Ｎ）が有効回数を越えていたら、制御部１０は「暗証番号の有効回数が過ぎています。暗証番号の変更を行ってください。」等のメッセージを表示部１３に表示させ（ステップＳ１１）、操作者が暗証番号の入力を行う（ステップＳ６）。
【００２５】
暗証番号が入力されると、図３に示す操作者暗証テーブルの入力した操作者番号の登録暗証番号エリアにステップＳ６で入力した暗証番号が登録されるとともに、登録日付エリアに、現時点のシステム日付が登録されデータの更新が行われ（ステップＳ７）、暗証入力回数（Ｎ）が０クリアされる（ステップＳ１２）。また、暗証番号の入力回数（Ｎ）が有効回数内であれば、操作者は暗証番号の入力を行い（ステップＳ８）、図３の操作者暗証テーブルの登録暗証番号と比較し、一致していなければ、操作者は暗証番号の入力（ステップＳ８）を繰り返す。そして、暗証番号が一致していれば、暗証入力回数（Ｎ）を１つ加算し（ステップＳ１３）、操作者の入力確認処理を終了する。
【００２６】
以上のように、操作者の入力確認を必要とする処理が発生した場合、操作者毎に登録している暗証番号を有効回数で変更することが可能となり、セキュリティの強化を図ることができる。
【００２７】
実施の形態３．
実施の形態１では、暗証番号の有効期限を一つの固有データで管理していたが、本実施の形態は、操作者毎に暗証番号の有効期間を設定したものである。
現金処理装置のユニット構成、操作部の構成、動作フローチャートは実施の形態１と同じであり、説明を省略する。
【００２８】
図８はこの発明の実施の形態３を示す操作者暗証テーブルであり、操作者毎に登録暗証番号の有効期間を設定することができる。
これにより、重要な操作者は、有効期間を短くすることができ、さらにセキュリティの強化を図ることができる。
【００２９】
実施の形態４．
実施の形態２では、暗証番号の有効回数を一つの固有データで管理していたが、本実施の形態は、操作者毎に暗証番号の有効回数を設定したものである。
現金処理装置のユニット構成、操作部の構成、動作フローチャートは実施の形態２と同じであり、説明を省略する。
【００３０】
図９はこの発明の実施の形態４を示す操作者暗証テーブルであり、操作者毎に登録暗証番号の有効回数を設定することができる。
このようにすることにより、重要な操作者は、有効期間を少なくすることができ、さらにセキュリティの強化を図ることができる。
【００３１】
実施の形態５．
本実施の形態は実施の形態１〜４において暗証番号の更新をするときに、前回の暗証番号と異なる番号となるようにしたものである。
現金処理装置のユニット構成、操作部の構成、操作者暗証テーブル等は各々の実施の形態と同じなので説明を省略し、動作フローの異なる点について説明する。
【００３２】
図１０はこの発明の実施の形態を示す動作フローチャートであり、実施の形態１、３の動作フローチャートを示す図５、実施の形態２、４の動作フローチャートを示す図７の点線で囲んだステップＳ６、Ｓ７の間に動作を加えたものである。
暗証番号の更新の動作は、まず、操作者は暗証番号の入力を行う（ステップＳ１４）。そして、入力された番号が前回の登録暗証番号と同じなら暗証番号の入力（ステップＳ１４）を繰り返し、異なるときに、操作者暗証テーブル（図３、図８、図９）の登録暗証番号エリアにステップＳ１４で入力した暗証番号が登録されるとともに、登録日付エリアに、現時点のシステム日付が登録されデータの更新が行われる（ステップＳ１６）。
【００３３】
このように、前回の暗証番号と異なる暗証番号が入力されるので、さらに一層のセキュリティの強化を図ることができる。
【００３４】
【発明の効果】
以上のように、この発明に係る現金処理装置は、現金の入金・支払機と操作部を有する現金処理装置において、前記操作部は、操作者情報及び前記入金・支払機の制御情報を入力する入力手段と、あらかじめ操作者の操作者番号及び暗証番号並びに登録日付を登録した操作者暗証テーブルと前記暗証番号の有効期間を記憶する記憶部と、前記操作部と前記入金・支払機を制御するとともに計時手段を有する制御部と、前記入力手段により前記操作者番号を入力したときに、前記記憶部の前記操作者暗証テーブルに登録された前記登録日付と前記制御部の計時手段によるシステム日付を比較し、前記登録日付が前記暗証番号の前記有効期間以内か否かを判断する判断部と、前記入力手段の入力情報及び操作ガイダンスを表示する表示部と、を備え、前記判断部は、前記操作者暗証テーブルに登録され、前記入力された前記操作者番号に対応する前記暗証番号の前記登録日付と、前記計時手段によるシステム日付とを比較し、該比較結果を前記制御部に出力し、前記制御部は、前記判断部の前記出力が前記暗証番号の有効期間以内のときに、前記暗証番号の入力指示を前記表示部に表示させ、前記入力手段から入力された前記暗証番号が、登録されている前記暗証番号と一致していれば前記操作者の確認処理を終了させ、前記判断部の前記出力が前記有効期間を越えたときに、前記暗証番号の変更指示を前記表示部に表示させ、変更後の暗証番号が入力されると、前記変更後の暗証番号及び登録日付の更新をし、前記操作者の確認処理を終了させるので、操作者毎に登録している暗証番号を有効期間で変更することが可能となり、セキュリティの強化を図ることができる。
【００３５】
また、現金の入金・支払機と操作部を有する現金処理装置において、前記操作部は、操作者情報及び前記入金・支払機の制御情報を入力する入力手段と、あらかじめ操作者の操作者番号及び暗証番号、登録日付並びに前記操作者の前記暗証番号毎の有効期間を登録した操作者暗証テーブルを記憶する記憶部と、前記操作部と前記入金・支払機を制御するとともに計時手段を有する制御部と、前記入力手段により前記操作者番号を入力したときに、前記記憶部の前記操作者暗証テーブルに登録された前記登録日付と前記制御部の計時手段によるシステム日付を比較し、前記登録日付が前記暗証番号の前記有効期間以内か否かを判断する判断部と、前記入力手段の入力情報及び操作ガイダンスを表示する表示部と、を備え、前記判断部は、前記操作者暗証テーブルに登録され、前記入力された前記操作者番号に対応する前記暗証番号の前記登録日付と、前記計時手段によるシステム日付とを比較し、該比較結果を前記制御部に出力し、前記制御部は、前記判断部の前記出力が前記暗証番号の有効期間以内のときに、前記暗証番号の入力指示を前記表示部に表示させ、前記入力手段から入力された前記暗証番号が、登録されている前記暗証番号と一致していれば前記操作者の確認処理を終了させ、前記判断部の前記出力が前記有効期間を越えたときに、前記暗証番号の変更指示を前記表示部に表示させ、変更後の暗証番号が入力されると、前記変更後の暗証番号及び登録日付の更新をし、前記操作者の確認処理を終了させるので、重要な操作者は、有効期間を短くすることができ、さらにセキュリティの強化を図ることができる。
【００３６】
また、現金の入金・支払機と操作部を有する現金処理装置において、前記操作部は、操作者情報及び前記入金・支払機の制御情報を入力する入力手段と、あらかじめ操作者の操作者番号及び暗証番号並びに登録日付を登録した操作者暗証テーブルと前記暗証番号の有効入力回数を記憶する記憶部と、前記操作部と前記入金・支払機を制御するとともに、前記暗証番号の入力回数を計数する計数手段を有する制御部と、前記入力手段により前記操作者番号を入力したときに、前記制御部の前記計数手段により計数された前記暗証番号の入力回数が、前記記憶部に記憶された前記暗証番号の有効入力回数以内か否かを判断する判断部と、前記入力手段の入力情報及び操作ガイダンスを表示する表示部と、を備え、前記判断部は、前記計数手段に計数され、前記入力された前記操作者番号に対応する前記暗証番号の前記入力回数と、前記記憶部に記憶された前記暗証番号の前記有効入力回数とを比較し、該比較結果を前記制御部に出力し、前記制御部は、前記判断部の前記出力が前記有効入力回数以内のときに、前記暗証番号の入力指示を前記表示部に表示させ、前記入力手段から入力された前記暗証番号が、登録されている前記暗証番号と一致していれば前記操作者の確認処理を終了させ、前記判断部の前記出力が前記有効入力回数を越えたときに、前記暗証番号の変更指示を前記表示部に表示させ、変更後の暗証番号が入力されると、前記変更後の暗証番号及び登録日付の更新をし、前記操作者の確認処理を終了させるので、操作者毎に登録している暗証番号を有効回数で変更することが可能となり、セキュリティの強化を図ることができる。
【００３７】
また、現金の入金・支払機と操作部を有する現金処理装置において、前記操作部は、操作者情報及び前記入金・支払機の制御情報を入力する入力手段と、あらかじめ操作者の操作者番号及び暗証番号、登録日付並びに前記操作者の前記暗証番号毎の有効入力回数を登録した操作者暗証テーブルを記憶する記憶部と、前記操作部と前記入金・支払機を制御するとともに、前記暗証番号の入力回数を計数する計数手段を有する制御部と、前記入力手段により前記操作者番号を入力したときに、前記制御部の前記計数手段により計数された前記暗証番号の入力回数が、前記記憶部に記憶された前記暗証番号の有効入力回数以内か否かを判断する判断部と、前記入力手段の入力情報及び操作ガイダンスを表示する表示部と、を備え、前記判断部は、前記計数手段に計数され、前記入力された前記操作者番号に対応する前記暗証番号の前記入力回数と、前記記憶部に記憶された前記暗証番号の前記有効入力回数とを比較し、該比較結果を前記制御部に出力し、前記制御部は、前記判断部の前記出力が前記有効入力回数以内のときに、前記暗証番号の入力指示を前記表示部に表示させ、前記入力手段から入力された前記暗証番号が、登録されている前記暗証番号と一致していれば前記操作者の確認処理を終了させ、前記判断部の前記出力が前記有効入力回数を越えたときに、前記暗証番号の変更指示を前記表示部に表示させ、変更後の暗証番号が入力されると、前記変更後の暗証番号及び登録日付の更新をし、前記操作者の確認処理を終了させるので、重要な操作者は、有効期間を少なくすることができ、さらにセキュリティの強化を図ることができる。
【００３８】
また、制御部は、有効期間を越えたときに、入力された暗証番号が、登録されている暗証番号と異なるときに、前記暗証番号及び登録日付の更新をするので、さらに一層のセキュリティの強化を図ることができる。
【００３９】
この発明に係る現金処理装置の制御方法は、現金処理装置の制御方法において、あらかじめ操作者の操作者番号及び暗証番号並びに登録日付を操作者暗証テーブルに記憶させるとともに、前記暗証番号の有効期間を記憶させるステップと、操作者の操作番号を入力する第１ステップと、入力された前記操作者番号があらかじめ記憶されている前記操作者番号と一致するかどうかチェックする第２ステップと、記憶された前記暗証番号の前記登録日付とシステム日付を比較し、前記暗証番号が前記有効期間以内か否かを判断する第３ステップと、前記登録日付が前記有効期間以内のときに、前記暗証番号を入力し、入力された前記暗証番号が登録されている前記暗証番号と一致していれば、前記操作者の確認処理を終了させる第４ステップと、前記登録日付が前記有効期間を越えたときに、変更後の暗証番号を入力すると、登録日付の更新をし、前記操作者の確認処理を終了させる第５ステップとを備え、前記制御は、前記第１ステップ、前記第２ステップ、及び、前記第３ステップの順番に移行し、前記第３ステップにおける前記判断結果に基づいて、前記第３ステップから前記第４ステップ、又は、前記第５ステップに移行するので、操作者毎に登録している暗証番号を有効期間で変更することが可能となり、セキュリティの強化を図ることができる。
【００４０】
また、現金処理装置の制御方法において、あらかじめ操作者の操作者番号及び暗証番号、登録日付並びに前記操作者の前記暗証番号毎の有効期間を操作者暗証テーブルに記憶させるステップと、操作者の操作番号を入力する第１ステップと、入力された前記操作者番号があらかじめ記憶されている前記操作者番号と一致するかどうかチェックする第２ステップと、記憶された前記暗証番号の前記登録日付とシステム日付を比較し、前記暗証番号が前記有効期間以内か否かを判断する第３ステップと、前記登録日付が前記有効期間以内のときに、前記暗証番号を入力し、入力された前記暗証番号が登録されている前記暗証番号と一致していれば、前記操作者の確認処理を終了させる第４ステップと、前記登録日付が前記有効期間を越えたときに、変更後の暗証番号を入力すると、登録日付の更新をし、前記操作者の確認処理を終了させる第５ステップとを備え、前記制御は、前記第１ステップ、前記第２ステップ、及び、前記第３ステップの順番に移行し、前記第３ステップにおける前記判断結果に基づいて、前記第３ステップから前記第４ステップ、又は、前記第５ステップに移行するので、重要な操作者は、有効期間を短くすることができ、さらにセキュリティの強化を図ることができる。
【００４１】
また、現金処理装置の制御方法において、あらかじめ操作者の操作者番号及び暗証番号並びに登録日付を操作者暗証テーブルに記憶させるとともに、前記暗証番号の有効入力回数を記憶させるステップと、操作者の操作番号を入力する第１ステップと、入力された前記操作者番号があらかじめ記憶されている前記操作者番号と一致するかどうかチェックする第２ステップと、前記暗証番号の入力回数が前記暗証番号の前記有効入力回数以内か否かを判断する第３ステップと、前記入力回数が前記有効入力回数以内のときに、前記暗証番号を入力し、入力された前記暗証番号が登録されている前記暗証番号と一致していれば、前記操作者の確認処理を終了させる第４ステップと、前記入力回数が前記有効入力回数を越えたときに、変更後の暗証番号を入力すると、登録日付の更新をし、前記操作者の確認処理を終了させる第５ステップとを備え、前記制御は、前記第１ステップ、前記第２ステップ、及び、前記第３ステップの順番に移行し、前記第３ステップにおける前記判断結果に基づいて、前記第３ステップから前記第４ステップ、又は、前記第５ステップに移行するので、操作者毎に登録している暗証番号を有効回数で変更する事が可能となり、セキュリティの強化を図ることができる。
【００４２】
また、現金処理装置の制御方法において、あらかじめ操作者の操作者番号及び暗証番号、登録日付並びに前記操作者の前記暗証番号毎の有効入力回数を操作者暗証テーブルに記憶させるステップと、操作者の操作番号を入力する第１ステップと、入力された前記操作者番号があらかじめ記憶されている前記操作者番号と一致するかどうかチェックする第２ステップと、前記暗証番号の入力回数が前記暗証番号の前記有効入力回数以内か否かを判断する第３ステップと、前記入力回数が前記有効入力回数以内のときに、前記暗証番号を入力し、入力された前記暗証番号が登録されている前記暗証番号と一致していれば、前記操作者の確認処理を終了させる第４ステップと、前記入力回数が前記有効入力回数を越えたときに、変更後の暗証番号を入力すると、登録日付の更新をし、前記操作者の確認処理を終了させる第５ステップとを備え、前記制御は、前記第１ステップ、前記第２ステップ、及び、前記第３ステップの順番に移行し、前記第３ステップにおける前記判断結果に基づいて、前記第３ステップから前記第４ステップ、又は、前記第５ステップに移行するので、重要な操作者は、有効期間を少なくすることができ、さらにセキュリティの強化を図ることができる。
【００４３】
また、有効期間を越えたときに、入力された暗証番号が、登録されている暗証番号と異なるときに、前記暗証番号及び登録日付の更新をするので、さらに一層のセキュリティの強化を図ることができる。
【図面の簡単な説明】
【図１】この発明の実施の形態１を示す現金処理装置の構成を示す構成図である。
【図２】図１の操作部の構成図である。
【図３】この発明の実施の形態１を示す現金処理装置の操作者暗証テーブルである。
【図４】この発明の実施の形態１を示す現金処理装置の暗証番号の有効期間データを示す図である。
【図５】この発明の実施の形態１を示す現金処理装置の動作を示すフローチャートである。
【図６】この発明の実施の形態２を示す現金処理装置の暗証番号の有効回数データを示す図である。
【図７】この発明の実施の形態２を示す現金処理装置の動作を示すフローチャートである。
【図８】この発明の実施の形態３を示す現金処理装置の操作者暗証テーブルである。
【図９】この発明の実施の形態４を示す現金処理装置の操作者暗証テーブルである。
【図１０】この発明の実施の形態５を示す現金処理装置の動作を示すフローチャートである。
【符号の説明】
１  操作部
２  硬貨入金機
３  硬貨支払機
４  紙幣入金機
５  紙幣支払機
６  小束支払機
７  棒金支払機
１０  制御御部
１１  記憶部
１２  判断部
１３  表示部
１５  キー入力部
１６  カードリーダ部
【図１】
0004830214.tif 000002
【図２】
0004830214.tif 000003
【図３】
0004830214.tif 000004
【図４】
0004830214.tif 000005
【図５】
0004830214.tif 000006
【図６】
0004830214.tif 000007
【図７】
0004830214.tif 000008
【図８】
0004830214.tif 000009
【図９】
0004830214.tif 000010
【図１０】
0004830214.tif 000011